(57)【要約】【課題】ロック機能を向上させつつ確実かつ容易に操作可能なドアのロック装置を提供すること。【解決手段】装置、特にオーブンのドア用の電気機械式のロック装置であって、前記装置側の錠１と、前記ドア側の摺動ロック部材２とを備えて成る前記ロック装置において、前記錠１内における前記摺動ロック部材２の両側に、前記ドアのロック及びロック解除をその中間ロック位置及び完全ロック位置において行うことが可能なように形成された第１及び第２の回動ロック部材３，４のうちいずれかを設けた。
2009533572.tif 000002
【特許請求の範囲】
【請求項１】
装置、特にオーブンのドア用の電気機械式のロック装置であって、前記装置側の錠（１）と、前記ドア側の摺動ロック部材（２）とを備えて成る前記ロック装置において、
前記錠（１）内における前記摺動ロック部材（２）の両側に、前記ドアのロック及びロック解除をその中間ロック位置及び完全ロック位置において行うことが可能なように形成された第１及び第２の回動ロック部材（３，４）のうちいずれかを設けたことを特徴とするロック装置。
【請求項２】
前記第１及び第２の回動ロック部材（３，４）それぞれに、これらが互いに係合するための係止面（８，９）を設けたことを特徴とする請求項１記載のロック装置。
【請求項３】
前記第１の回動ロック部材（３）を、回動可能に枢支されたロータリラッチ（５）として形成したことを特徴とする請求項１記載のロック装置。
【請求項４】
前記摺動ロック部材（２）と係合するための縦長の凹部（１７）を前記ロータリラッチ（５）に設けたことを特徴とする請求項３記載のロック装置。
【請求項５】
前記第２の回動ロック部材（４）を、前記ロータリクラッチ（５）について前記摺動ロック部材（２）の反対側に設けたことを特徴とする請求項１記載のロック装置。
【請求項６】
前記摺動ロック部材側の係止レバー（６）及び係止ハンドル（７）を前記第２の回動ロック部材（４）に設けたことを特徴とする請求項５記載のロック装置。
【請求項７】
前記係止レバー（６）と前記係止ハンドル（７）をピボットジョイント（２１）によって互いに結合したことを特徴とする請求項６記載のロック装置。
【請求項８】
前記係止面（８，９）を凹部（３４，３８）及び／又は突出部（３５，３６，３７）として形成したことを特徴とする請求項２記載のロック装置。
【請求項９】
前記ロータリラッチに２つの前記突出部（３５，３７）を設けるとともに、前記係止ハンドル（７）に１つの前記突出部（３６）を設けたことを特徴とする請求項８記載のロック装置。
【請求項１０】
前記第１及び第２の回動ロック部材（３，４）に状態検出部（１８，２２）を設けたことを特徴とする請求項１〜９のいずれか１項に記載のロック装置。
【請求項１１】
前記第１及び第２の回動ロック部材（３，４）を独立したモータ（１１，１２）によって直接的又は間接的に動作させるように構成したことを特徴とする請求項１記載のロック装置。
【請求項１２】
前記モータのトルクの伝達手段として、回転可能に枢支されたカム（１３，１４）を用いたことを特徴とする請求項１１記載のロック装置。
【請求項１３】
前記摺動ロック部材（２）を、その端部（２３）にピン（３０）を備え、かつ、該ピンから前記摺動ロック部材の内方へ離間した位置に傾斜部（２９）を備える構成としたことを特徴とする請求項１記載のロック装置。
【発明の詳細な説明】
【技術分野】
【０００１】
本発明は、装置、特にオーブンのドア用の電気機械式のロック装置であって、前記装置側の錠と、前記ドア側の摺動ロック部材とを備えて成る前記ロック装置に関するものである。
【背景技術】
【０００２】
開放（ロック解除）動作が二段式となっている機器用ドア（以下単に「ドア」という。）が多く知られている。このようなドアにおいては、機器側の錠の摺動ロック部材が完全ロック位置からまず中間ロック位置（半ロック位置）へもたらされるため、ドアのロック解除が一気に行われることがないようになっている。これは、例えば調理用オーブンにおいて、このオーブン内の熱気をまず排出し、人がこの熱気を吸入してしまわないようにするためのものである。
【０００３】
また、熱気が人体の側方へ逃げるように、オーブンとドアの間に比較的大きな間隔を設けるのが好ましい。そして、第１段と第２段の別々の操作によってドアが完全にロック解除される。
【発明の開示】
【発明が解決しようとする課題】
【０００４】
本発明の目的とするところは、ロック機能を向上させつつ確実かつ容易に操作可能なドアのロック装置を提供することにある。
【課題を解決するための手段】
【０００５】
上記目的は、錠内における摺動ロック部材の両側に、ドアのロック及びロック解除をその中間ロック位置及び完全ロック位置において行うことが可能なように形成された第１及び第２の回動ロック部材のうちいずれかを設けることにより達成される。すなわち、摺動ロック部材の両側には、相互作用することで完全ロック位置と中間ロック位置の機能を果たすことが可能な回動ロック部材が設けられている。
【０００６】
ドアは、まず中間ロック位置へ手動で動かされ、次にモータによってドアが完全に閉鎖されるとともに、回動ロック部材の相互作用によって完全ロック位置へもたらされる。この相互作用は、両回動ロック部材に互いに当接する係止面を設けることで大幅に効率化される。これにより、ドアの開放時及び／又は閉鎖時に適切な係止位置が得られるようになっている。なお、両回動ロック部材は、ドアの閉鎖時と同様に開放時にも前記係止面で互いに当接するか、又は互いに重なり合うように滑動するようになっている。
【０００７】
ここで、本発明の一実施形態は、前記第１の回動ロック部材を、回動可能に枢支されたロータリラッチとして形成したことを特徴としている。このロータリラッチは摺動ロック部材に対応するよう形成された領域の近傍に１つのアームを備えており、このアームの端部は、該端部近傍の回動ロック部材に対応する形状に形成されている。また、ロータリラッチは更にもう１つのアームを備えており、このアームを介して当該ロータリラッチがモータにより駆動されるようになっている。
【０００８】
これに関連して、本発明の一実施形態は、摺動ロック部材と係合するための縦長の凹部を前記ロータリラッチに設けたことを特徴としている。これにより、かぎ爪状の突出部として形成された端部を備えた凹部が形成される。なお、この凹部の前記端部は、摺動ロック部材との係合に適したものとなっている。また、ロータリラッチの操作時に突出部が係合を維持しつつ包囲されるよう、ロータリラッチの適当な操作によって、ドアは、その閉鎖時に摺動ロック部材と共に凹部内へ収容される。ここで、この凹部は、摺動ロック部材がその最終位置で完全ロック位置を占めるように形成されている。
【０００９】
さらに、本発明の一実施形態は、前記第２の回動ロック部材を、ロータリラッチについて摺動ロック部材の反対側に設けたことを特徴としている。このとき、両回動ロック部材は、互いの動作を妨げることなく機能的に相互作用するようになっている。また、第２の回動ロック部材を二部材で構成すれば、多数の機能が得られる。ここで、この二部材のうち１つに摺動ロック部材側の端部を設け、もう一方の部材を直接的又は間接的にモータに接続する。
【００１０】
また、本発明の一実施形態は、摺動ロック部材側の係止レバー及び係止ハンドルを前記第２の回動ロック部材に設けたことを特徴としている。ここで、係止レバーは突出部又はフックの形状をした端部を備えており、この端部は、摺動ロック部材に係合するに適した形状となっているとともに、ドアの閉鎖時における中間ロック位置における係合を達成するものとなっている。なお、係止レバーとモータの間には回動ロック部材における他の部材である係止ハンドルが設けられており、該係止ハンドルは、係止レバーの係合解除時にこの係止レバーを摺動ロック部材の動作軌道外に保持するか、又はロックするために開放する。
【００１１】
このとき、係止レバーと係止ハンドルをピボットジョイントによって互いに結合するのが好ましい。そして、係止レバーがピンを備える一方、係止ハンドルが係止レバーにおけるピンと対向する端部に凹部を備えていると望ましい。こうすることで、係止ハンドルが前記ピンと対向する端部とは異なる端部においてモータ又はロータリラッチにより他の位置へ移動されると、ピボットジョイントが解除される。
【００１２】
また、ロータリラッチと係止ハンドルの間には係止面が設けられている。特に、この係止面を凹部及び／又は突出部として形成するのが好ましい。こうすることで、錠の中間ロック位置又は完全ロック位置である係止面同士の多様な位置決めをすることが可能である。
【００１３】
また、本発明の一実施形態は、ロータリラッチに２つの突出部を設けるとともに、係止ハンドルに１つの突出部を設けたことを特徴としている。ここで、ドアの中間ロック位置においては、係止ハンドル側の突出部がロータリラッチ側の２つの突出部の間に設けられており、ドアの完全ロック位置への閉鎖時に、ロータリラッチ側の２つの突出部のうち上方に位置するものが係止ハンドル側の突出部の後方へ移動する。
【００１４】
また、本発明の一実施形態は、錠の開放状態を接触式又は非接触式に検出し、場合によってはドアの開閉を制御するための状態検出部を第１及び第２の回動ロック部材に設けたことを特徴としている。なお、両状態検出部は、互いに独立して機能するようになっている。
【００１５】
ところで、上述のとおり、モータは本発明によるロック装置における基本的な構成要素であるが、電気的なロック解除のほか、閉鎖機能のみを持たせることも可能である。この場合、第１及び第２の回動ロック部材を独立したモータによって直接的又は間接的に動作させるように構成するのが望ましい。さらに、回動ロック部材と接触するカムを、各モータにより交互に回転するように構成することも好ましい。
【００１６】
これについて、本発明の一実施形態は、モータのトルクの伝達手段として、回転可能に枢支されたカムを用いたことを特徴としている。なお、このカムはそれぞれホイールに取り付けられている。ここで、両ホイールは、ロック時及びロック解除時にモータを介して独立して制御されるようになっている。
【００１７】
また、摺動ロック部材について、本発明の一実施形態は、摺動ロック部材を、その端部にピンを備え、かつ、該ピンから前記摺動ロック部材の内方へ離間した位置に傾斜部を備える構成としたことを特徴としている。ここで、ピンはロータリラッチとの係合に対応した形状となっているとともに、傾斜部は係止ハンドルとの係合に対応した形状となっている。そのため、中間ロック位置においてロータリラッチとピンの間の確実な係合が達成できる一方、傾斜部により、係止レバーの案内軌道を確保することも可能である。
【００１８】
本発明によれば、特に、信頼性が高く、確実なドアの開閉を行うことが可能な電気機械式のロック装置を提供することができる。さらに、摺動ロック部材の両側には、それぞれ異なる機能を有する回動ロック部材が設けられている。これら両回動ロック部材は、それぞれ別のモータにより駆動されるとともに、ドアの開閉を行えるよう互いに上下に係合する係止面を有して、互いに独立して機能するようになっている。
【発明の効果】
【００１９】
本発明によれば、ロック機能を向上させつつ確実かつ容易に操作可能なドアのロック装置を提供することが可能である。
【００２０】
本発明の他の利点は、添付図面に基づく以下の実施形態の説明において記載されている。
【発明を実施するための最良の形態】
【００２１】
以下に本発明の実施の形態を添付図面に基づいて説明する。
【００２２】
図１には複数の部材から成る錠１の内部が示されている。まず、対称に形成された摺動ロック部材２が設けられており、この摺動ロック部材２は、この図１においては錠１内へ挿入されていない。
【００２３】
摺動ロック部材２の側方領域１９，２０にはそれぞれ回転ロック部材４，３が設けられており、回転ロック部材４が係止レバー６及び係止ハンドル７の２つの部材で形成されている一方、回転ロック部材３は前記側方領域２０においてロータリラッチとして形成されつつ枢軸３３を中心として回動可能に形成されている。
【００２４】
また、操作レバー１５と共に接触式又は非接触式の状態検出部１８，２２が設けられており、この状態検出部１８，２２は、錠１の開錠状態を検出するとともに、電気機械式の開錠又は閉錠を制御するものとなっている。
【００２５】
しかして、ホイール３２が回転する際には、開錠機能のためのモータ１１及び減速ギヤ２７によってカム１４が係止ハンドル７に対して移動するようになっている。さらに、モータ１３又は減速ギヤ２６によってカム１３又は不図示のホイール３２’がロータリラッチ５に対して移動するようになっている。なお、符号２５は設置面を示しており、ボルト締結部は錠１のケーシング内に統合されている。
【００２６】
図２には係止構造が示されており、ここでは、摺動ロック部材２が回転ロック部材４のみと係合している半ロック状態が示されている。また、この図２では、摺動ロック部材２がその端部２３におけるピン３０及び内部２４における傾斜部２９で構成されていることが分かる。なお、傾斜部２９は、回転ロック部材４のガイド移動を形成するためのものである。
【００２７】
ここで、回転ロック部材３，４は、それぞれかぎ爪状の突出部２８を備えたロータリラッチ５におけるくぼみ状の凹部１７及び係止レバー６におけるかぎ爪状の端部として形成されている。また、図示のように、ロータリラッチ５及び係止レバー６は、その係止面８，９においてロータリラッチ５側の突出部３５，３７及び凹部３４又は係止レバー６側の突出部３６及び凹部３８で係合している。なお、図２にはピボットジョイント２１が図示されている。
【００２８】
図３には、錠１が閉鎖時の中間位置にある状態が示されている。ここで、ロータリラッチ５は係止ハンドル７によってロックされており、係止面８，９は互いに係合している。具体的には、係止ハンドル７側の突出部３６が突出部３７と突出部３８の間のロータリラッチ５側の凹部３４内に位置している。このとき、係止レバー６は解放されつつ摺動ロック部材２に当接しており、ピボットジョイント２１は機能していない。
【００２９】
図４に示す完全なロック位置へもたらすために、ロータリラッチ５は、カム１３によって駆動され、完全ロック位置へと移動するようになっている。ここで、この完全ロック位置は、摺動ロック部材２が図３に示す状態から更に凹部１７内へ至った最終位置に相当する。このとき、錠１は摺動ロック部材２をその中間位置から完全ロック位置へ独立して動かし、ロータリラッチ５及び係止レバー６は、互いに相対運動して、ロータリラッチ５側における上方の突出部３７が係止ハンドル７側の突出部３６の下方に位置するような位置へもたらされるようになっている。
【００３０】
そして、図４に示す完全ロック位置から図５に示すロック解除時の中間位置へ至る場合には、所定の入力装置又はプログラムによってロック解除パルスがカム１４へ印加され、該カム１４によって係止ハンドル７がそのロック位置からロック解除位置へもたらされる。このとき、摺動ロック部材２は係止レバー６に係合し、錠１の中間位置（半ロック位置）が達成される。なお、この錠１の中間位置においては、例えば調理器具からの空気を逃がすことができるようになっている。
【００３１】
図６には、図１で既に示したようなロック解除状態が示されている。ここでは、ロータリラッチ５は係止されておらず、ここでも係止レバー６を解除するためのロック解除パルスが所定の入力装置又はプログラムによってカム１４へ印加され、このカム１４によって係止レバー６が駆動されてロックが解除されるようになっている。そして、回動ロック部材４における係止レバー６と係止ハンドル７の間のピボットジョイント２１が機能し、係止レバー６と係止ハンドル７が互いに支持し合い、錠１のロックが解除される。
【図面の簡単な説明】
【００３２】
【図１】錠の内部を示す図である。
【図２】図１に示す錠の斜視図である。
【図３】錠のロック操作時における中間位置を示す図である。
【図４】錠の完全ロック状態を示す図である。
【図５】錠のロック解除操作時における中間位置を示す図である。
【図６】錠のロック解除状態を示す図である。
【符号の説明】
【００３３】
１            錠
２            摺動ロック部材
３，４        回動ロック部材
５            ロータリラッチ
６            係止レバー
７            係止ハンドル
８，９        係止面
１１，１２    モータ
１３，１４    カム
１５          操作レバー
１７          凹部
１８，２２    状態検出部
１９，２０    摺動ロック部材の側方領域
２１          ピボットジョイント
２３          端部
２４          摺動ロック部材の内部
２５          設置面
２６，２７    減速ギヤ
２８          突出部
２９          傾斜部
３０          ピン
３１          端部
３２，３２’  ホイール
３３          枢軸
３４，３８    凹部
３５，３６，３７  突出部
【図１】
2009533572.tif 000003
【図２】
2009533572.tif 000004
【図３】
2009533572.tif 000005
【図４】
2009533572.tif 000006
【図５】
2009533572.tif 000007
【図６】
2009533572.tif 000008
【国際調査報告】
2009533572.tif 000009
2009533572.tif 000010
2009533572.tif 000011
2009533572.tif 000012